(57)【要約】【課題】屋根材の施工性と意匠性を高めた屋根構造を提供する。【解決手段】支柱１の上部に設けられた梁材２に前後に間隔をおいて桁材３が取付けられ、前記桁材３間に横方向に連結された屋根材４が架設された屋根構造Ｐであって、屋根材４の連結部４２において、隣合う屋根材４の側端部に立設された立上り片４１どうしが当接され、前記立上り片４１の全長に亘って当接された該立上り片４１どうしを覆う逆Ｕ字状の被覆材５が係止されるように構成する。【選択図】  図１
2011202473.tif 000002
【特許請求の範囲】
【請求項１】
支柱の上部に設けられた梁材に前後に間隔をおいて桁材が取付けられ、前記桁材間に横方向に連結された屋根材が架設された屋根構造であって、前記屋根材の連結部において、隣合う屋根材の側端部にはそれぞれ立上り片が立設され、前記立上り片どうしが当接されると共に、前記立上り片の全長に亘って当接された該立上り片どうしを覆う逆Ｕ字状の被覆材が係止されていることを特徴とする屋根構造。
【発明の詳細な説明】
【技術分野】
【０００１】
本発明は、自転車置場、カーポート、バス停留所、渡り廊下、地下道の入口、公園の休憩所等に用いられる組立式の簡易構造物における屋根構造に関するものである。
【背景技術】
【０００２】
一般に、自転車置場、カーポート、バス停留所、渡り廊下、地下道の入口、公園の休憩所等に用いられる組立式の簡易構造物における屋根構造としては、合成樹脂板や金属板からなる板材を枠材や梁材を介して複数連結して屋根材としたものや、主に金属板からなる折板材の端部同士を重合させて屋根材としたもの等が用いられている。
【０００３】
例えば、特許文献１には、梁の上面に屋根板の縁部を架設し、梁の上面と螺子により梁の上面に止着される屋根板押え部材により屋根板の縁部を挟着した簡易構築物における屋根板取付構造において、梁の上面に上方が開口した長溝を有するアルミ型材で形成された屋根受け部材を一体的に固着し、該屋根受け部材の長溝に屋根板押さえ部材を止着する螺子を螺合した形態が提案されている。
【０００４】
また、本出願人においても、特許文献２において、屋根パネルは、支柱の上方に対向した一対の桁梁を取り付け、前記屋根パネルを吊り上げてこの対向した桁梁の間に複数枚架け渡し、屋根パネルの母屋の側端面と隣接する屋根パネルの母屋の側端面とを接合し、母屋の両先端部を一対の桁梁に接合して屋根パネルを桁梁に取り付け、この屋根パネルの屋根枠と隣接する屋根パネルの屋根枠との間にゴムパッキンを水密に挿入することを特徴とする組立屋根の施工方法を提案している。
【先行技術文献】
【特許文献】
【０００５】
【特許文献１】実開平０６−７８４４０号公報
【特許文献２】特開平０８−９３１１２号公報
【発明の概要】
【発明が解決しようとする課題】
【０００６】
ところで、前記の屋根板取付構造は、梁と屋根押さえ部材との間に屋根板が挟着さされたものであるので、屋根押さえ部材と屋根板、屋根板と梁とのそれぞれ隙間にシール材等を配置して止水処理を施す必要があり、また屋根受け部材と屋根押さえ部材、屋根押さえ部材と梁とがそれぞれ螺子により接合されているので、その螺子孔にも止水処理を施す必要があるため、部材数が多く、止水作業が煩雑なものであった。
【０００７】
また特許文献１，２ともに、梁や母屋の上に屋根板や屋根パネルが位置しているため、下から見ると梁や母屋が目立つため外観が低下するおそれもある。
【０００８】
本発明は、前記の如き問題点を解消し、屋根材の施工性を高めると共に、意匠性も高めた屋根構造を提供せんとするものである。
【課題を解決するための手段】
【０００９】
上記目的を達成するために、本発明は次のような構成としている。すなわちこの発明に係る屋根構造は、支柱の上部に設けられた梁材に前後に間隔をおいて桁材が取付けられ、前記桁材間に横方向に連結された屋根材が架設された屋根構造であって、前記屋根材の連結部において、隣合う屋根材の側端部にはそれぞれ立上り片が立設され、前記立上り片どうしが当接されると共に、前記立上り片の全長に亘って当接された該立上り片どうしを覆う逆Ｕ字状の被覆材が係止されていることを特徴とするものである。
【発明の効果】
【００１０】
本発明によれば、屋根材の連結部において、隣合う屋根材の側端部にはそれぞれ立上り片が立設され、前記立上り片どうしが当接されると共に、前記立上り片の全長に亘って当接された該立上り片どうしを覆う逆Ｕ字状の被覆材が係止されているので、屋根材どうしの連結作業が容易になされると共に、屋根材の連結部には、梁や母屋が必要ないので、下方からみた際に、連結箇所が目立たず、意匠性を高めることができる。
【図面の簡単な説明】
【００１１】
【図１】本発明に係る屋根構造の実施の一形態を示す説明図である。
【図２】図１のＡ−Ａ断面における主要部の拡大断面図である。
【図３】図１のＢ−Ｂ断面における主要部の拡大断面図である。
【図４】図１のＣ−Ｃ断面における主要部の拡大端面図である。
【図５】図１の平面図である。
【図６】図１のＤ−Ｄ断面における主要部の拡大端面図である。
【発明を実施するための形態】
【００１２】
次に、本発明を実施するための最良の形態について図面を参照し、具体的に説明する。
【００１３】
図１は本発明に係る屋根構造Ｐの実施の一形態を示す説明図であり、（ａ）は正面図、（ｂ）は側面図である。本実施形態に係る屋根構造Ｐは、間隔をおいて立設された支柱１の上端部に前方に張り出すようにして梁材２が取付けられ、該梁材２の前後端部に桁材３が左右方向に取付けられている。
【００１４】
支柱１は、地表に間隔をおいて立設されており、一般には強度的に安定しておりコストの安い角パイプ状の鋼管が用いられているが、丸パイプ状の鋼管でもよく、Ｈ型鋼からなる支柱でもよい。またステンレス合金、アルミニウム合金等の他の金属から作成されたものでもよい。
【００１５】
支柱１は、一般には地中に埋設されたコンクリート製又は鉄筋コンクリート勢の土台部Ｋ上に立設されるものであり、本実施形態では、支柱１の下端部に設けられたベース部１１が土台部Ｋ上に配置され、アンカーボルトＬとナットＮ１とによって土台部Ｋ上に固定されている。なお、図示していないが支柱１の下端部が土台部中に埋設された形態でもよい。また土台部Ｋは本形態のように支柱１ごとに作製されたものでもよく、複数の１個の土台部Ｋに複数の支柱１が固定された形態でもよい。
【００１６】
本実施形態では、支柱１間に中間支柱１２が立設され、一方の支柱1と中間支柱１２との間にパネル材１４及びベンチ１７が取付けられている。パネル材１４は、支柱１と中間支柱１２とにそれぞれ接合された接続金具１３を介して取付けられ、広告、時刻表等を表示可能となされている。またベンチ１７は、支柱１と中間１２に接合されたブラケット１５を介して支持桟１６が架設され、前記支持桟１６から立ち上がる複数の腕部１６ａ上に長板状の座部１７が架設され、該支持桟１６の前部から座部１７の上方を通って支持桟１６の後部に接続される逆Ｕ字状の肘掛け１７ａが取付けられたものである。
【００１７】
図２は、図１のＡ−Ａ断面の主要部を示す説明図であり、（ａ）は拡大断面図、（ｂ）は（ａ）の部分分解図である。
【００１８】
支柱１の上端部１１には、上方に向けて突出する角パイプ状の被嵌合部１８が設けられている。一方梁材２には、下方に突出し前記被嵌合部１８に外嵌される角パイプ状の嵌合部２１が設けられており、該被嵌合部１８に嵌合部２１が嵌合されて支柱１と梁材２とが直交状に連結される。
【００１９】
被嵌合部１８と嵌合部２１には、互いに嵌合した際に連結ボルトＲ１が貫通可能な貫通孔１９，２２がそれぞれ形成されており、更に被嵌合部１８の内壁部にはナットＮ２が接合されている。そして、連結ボルトＲがスプリングワッシャＷ１、ワッシャＷ２、貫通孔２２、貫通孔１９を通ってナットＮ２に螺着されることにより、支柱１と梁材２とが連結される。
【００２０】
本実施形態では、貫通孔１９，２２の位置は、支柱１及び梁材２の前面側と背面側にそれぞれ設けられているが、側面に設けられた形態でもよい。また貫通孔１９，２２の個数は、被嵌合部１８と嵌合部２１の前壁部と後壁部との上下左右に計４個であるが、支柱１と梁材２とが強固に連結される形態であれば、貫通孔１９，２２の個数は特に限定されるものではない。
【００２１】
また意匠性を高めるために、支柱１と梁材２との連結箇所を覆うカバー材２３を取付けてもよい。カバー材２３の形態は特に限定されるものではないが、互いに嵌合可能な複数個からなる部材から構成され、ボルトやビス等を用いずに取付けられるものが好ましい。
【００２２】
更に図示していないが、支柱１の被嵌合部１８において、ナットＮ２を設けずに、連結ボルトを一方の貫通孔１９から貫通孔２２を通って他方の貫通孔１９に貫通させてナットで締結させて支柱１と梁材２との連結する形態でもよい。
【００２３】
梁材２は、支柱１と同様に、一般には強度的に安定しておりコストの安い角パイプ状の鋼管が用いられているが、丸パイプ状の鋼管でもよく、Ｈ型鋼からなる支柱でもよい。またステンレス合金、アルミニウム合金等の他の金属から作成されたものでもよい。
【００２４】
支柱１と梁材２とは、例えば、図示していないが、支柱１内に挿入可能な第１接続部と梁材２に挿入可能な第２接続部とを備えた連結部材を介して連結してもよく、また図示していないが、支柱１の上端前面に切欠部を設けて、該切欠部内に梁材２の一端を挿入し、ボルト・ナット等で連結する形態でもよい。更に支柱１と梁材とは別体の方が部材運搬効率の点から好ましいが、予め溶接等により一体的に接合したものを用いてもよい。
【００２５】
図３は図１のＢ−Ｂ断面の拡大図である。桁材３は、梁材２間に前後に間隔をおいて取付けられ、前方に配置された桁材３は梁材２の前端部に取付けられ、後方に配置された桁材３は梁材２の後端部に取付けられている。
【００２６】
梁材２の前端部には、水平片２３ａと垂直片２３ｂとからなる断面Ｌ型の連結部材２３が取付けられ、該連結部材２３を介して、桁材３が梁材２に取付けられている。連結部材２３の水平片２３ａは梁材２の上端に配置され、連結ボルトＲ２を介して梁材２に取付けられており、垂直片２３ｂは梁材２の先端の開口部を塞いでいる。桁材３には梁材２側に面する外壁部の長手方向に沿って開口幅が奥部より幅狭となされたボルト溝３１が上下に二個設けられている。該ボルト溝３１には、頭部３２ａが挿入され、螺子部３２ｂがボルト溝３１の開口部から突出された連結ボルト３２が摺動可能に取付けられ、前記螺子部３２ｂは、連結部材２３の垂直片２３ｂに形成された貫通孔２３ｃを通り、スプリングワッシャＷ１を介してナットＮ３に螺着されている。これにより、梁材２と桁材３とが直交状に連結されている。
【００２７】
桁材３は、一般には、アルミニウム合金等から押出成型されてなる長尺体を支柱１のスパン等に合わせて適宜長さに切断して用いるものであるが、角パイプ状の鋼管、ステンレス合金等の他の金属からなる押出型材や板材を環状に作製したパイプ材等を用いてもよい。本実施形態において、桁材３は、断面四角形状で内部が中空３３となされ、該中空部を左右に分ける補強リブ３４が形成されている。そして、桁材３の両側端部はカバー材が取付けられており、また前方の桁材３には断面逆三角形状の化粧材が取付けられており、意匠性が高められている。
【００２８】
本実施形態では、前記桁材３は梁材２の前端部と後端部とにそれぞれ設けられているが、それらは同一の長尺体を上下を逆にして用いられている。
【００２９】
図４は、図１のＣ−Ｃ端面の拡大図、図５は図１の平面図である。前後の桁材３の向かい合う壁面部には、前記した二個のボルト溝３１を用いて長尺な垂直片と水平片とからなるＬ字状の支持部材３５が長手方向に沿ってそれぞれ取付けられており、屋根材４は、前後の支持部材３５の水平片間に架設され、ビスＳ２によって支持部材３５に固定されている。二個のボルト溝３１を選択して、前方の支持部材３５の垂直高さに対して後方の支持部材３５を低い位置に取付ければ、屋根材４は下斜め後方に向けて勾配が設けられるので、雨水等の水切りが容易となる。つまり、前後の桁材３が略水平に取付けられていても、勾配を付けて屋根材４を取付けることが容易となる。
【００３０】
支持部材３５は、本実施形態では、長尺な断面Ｌ字状であり、桁材３の長手方向に沿って間隔をおいて配置されると共に、前記と同様に桁材３のボルト溝３１に取付けられた連結ボルト３２の螺子部３２ｂが支持部材３５の貫通孔３５ａを通り、スプリングワッシャＷ１、ワッシャＷ２を介してナットＮ４に螺着されており、これにより、支持部材３５が桁材３に固定されている。
【００３１】
また本実施形態において、桁材３のボルト溝３１は、上下方向に複数設けられているので、前方の支持部材３５の垂直高さに対して、後方の支持部材３５を低く配置してそれぞれの支持部材３５を桁材３に固定することが更に容易となる。
【００３２】
更に本実施形態において、支持部材３５の下方には、梁材２間に亘って樋部材３６が配置され、桁材３のより下方に位置するボルト溝３１に係止可能な係止部３６ａを介して取付けられている。そして屋根材４を流れてきた雨水等は、屋根材４の端部４ａ、桁材３及び支持部材３５との間の隙間から樋部材３６へ流れ落ち、図１に示す排水パイプ３７から地表に排水される。
【００３３】
図６は、図１のＤ−Ｄ端面の拡大図である。屋根材４は、側端部にそれぞれ立上り片４１が設けられた断面コ字状であり、隣合う屋根材４どうしは、隣合う立上り片４１の外壁面４１ａどうしが当接されている。そして図５，６に示すように、隣合う立上り片４１の全長に亘って、立上り片４１どうしを覆う逆Ｕ字状の被覆材５で係止されており、屋根材４が横方向に連結されている。
【００３４】
これらの構造により、屋根材４の側端部からの雨水の漏れを抑えることが可能であり、屋根構造Ｐを設置する際、屋根材４は、前記のように桁材３に取付けられた支持部材３５間に架設すればよく、屋根材４同士の連結も容易であるため、設置作業の施工性を高めることができる。また屋根材４の連結部４２には梁材や母屋等の屋根材４を支持する部材は必要ないので、屋根構造Ｐの屋根材４を下方から見た際、屋根材４がほぼ面一となり、意匠性を高めることができる。
【００３５】
加えて、自然災害等によって屋根材４が破損した場合、該当する屋根材４の両端部の被覆材５及び、支持部材３５上に屋根材４を固定するビスＳ２を外せば、屋根材４を簡単に取り外すことが可能であり、屋根材４の取替作業も容易となる。
【００３６】
屋根材４は、一般にはアルミニウム合金、ステンレス合金等の金属板、ポリカーボネート、アクリル樹脂等の樹脂板からなる長尺体であり、屋根構造Ｐの前後方向に屋根材４の長手方向が配置されている。
【００３７】
屋根材４の立上り片４１は、本実施形態では、屋根材４の側端部を上向きに折曲げて形成したものであり、屋根材４の撓みを効果的に抑えることができる。
【００３８】
被覆材５は、一般にはシリコン樹脂、ウレタン樹脂等の弾性を有する合成樹脂であり、本実施形態では、逆Ｕ字状の内壁面にリブ５１が設けられ、立上り片４１を強固に押圧して係止する立上り片４１から外れにくくなされている。
【００３９】
本実施形態では、前方の桁材３の長手方向に沿って長尺な庇部材６１が取付けられて屋根材４の端部を覆っており、屋根材４の前端を越えて桁材４に雨水が浸入することを抑えている。更に庇部材６1の先端部から下方に垂下されており、雨水が屋根材４の前端側には更に浸入しにくくなっている。
【００４０】
図６に示すように、梁材２において、屋根材４側には雨水等を屋根材４の側端部から、梁材２側への浸入を防ぐ庇部材６２が取付けられており、反対側には、バス停留所名等を示すためのサイン板６３が取付けられている。具体的には、庇部材６２は断面Ｌ字状で長尺な板材であり、長尺な板材からなるサイン板６３は支持枠材６４を介して、いずれも梁材２の長手方向に沿って配置され、取付部材６５及び固定部材６６とを介して梁材上に取付けられている。庇部材６２は、一側端側が取付部材６５上に配置されビスＲ４によって固定されており、他側端は、梁材２側に近接する屋根材４の側端部の上方を覆って、該屋根材４の側端部を越えて梁材２側に雨水等が浸入することを抑えている。支持枠材６４は、外側に向けて開口する取付溝６４ａにサイン板６３が配置されて固定されると共に、梁材２側に突設された突片６４ｂが取付部材６５上に配置されて、ビスＲ５によって固定されている。取付部材６５は庇部材６２と支持枠材６４とが取付けられる長尺な板状部６５ａを有し梁材２の長手方向に沿って配置されている。固定部材６６も長尺の板状部６５ａを有し梁材２の長手方向に沿って配置されビスＲ６によって固定されている。また板状部６４ａから垂下する係合片６４ｂが、板状部６５ａから立上る係止片６５ｂに係止されることによって、取付部材６５が固定部材６６に固定されている。これにより、サイン板６３の取付作業が取替作業が容易となり施工性を高めることができる。
【符号の説明】
【００４１】
１    支柱
１８  被嵌合部
２    梁材
２１  嵌合部
３    桁材
３１  ボルト溝
３２  連結ボルト
３５  支持部材
４    屋根材
４１  立上り片
４２  連結部
５    被覆材
５１  リブ
Ｐ    屋根構造
【図１】
2011202473.tif 000003
【図２】
2011202473.tif 000004
【図３】
2011202473.tif 000005
【図４】
2011202473.tif 000006
【図５】
2011202473.tif 000007
【図６】
2011202473.tif 000008